【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
間隔を空けて平行に配置されかつ配置方向に対し直角に移動する２つの第１の案内レール(7a,7b)と、
間隔を空けて平行に配置されかつ配置方向に対し直角に移動する２つの第２の案内レール(9a,9b)とを備え、
複数の第１の案内レール(7a,7b)は、複数の第２の案内レール(9a,9b)に対して直角に配置されかつ４つの全案内レール(7a,7b;9a,9b)は、平面図上矩形、方形、近似矩形又は近似方形に配置され、
２つの第１の案内レール(7a,7b)と２つの第２の案内レール(9a,9b)上に、延伸すべき樹脂フィルム片(41)を挟持して樹脂フィルム片(41)の延伸過程を実施する少なくとも２つの把持装置(19)が配置され、
相対的に接近方向に移動する始動位置(SP)と、相対的に離間方向に移動する終端位置(EP)との間で２つの第１の案内レール(7a,7b)と２つの第２の案内レール(9a,9b)とを移動して、把持装置(19)により把持する樹脂フィルム片(41)を単軸又は二軸延伸する延伸架枠(5)を使用する樹脂フィルム片(41)の単軸又は二軸延伸装置において、
好ましくは上加熱炉(3’a,3’b)の底面(97)に配置される断熱板と、下加熱炉(3”a,3”b)の頂面(99)に配置される断熱板とを有する断熱体(277)により、単一又は複数の加熱炉(3a,3b,3c)の内部の延伸架枠(5)が移動する移動通路(V)の上部と下部が絶縁され、断熱体(277)は、上加熱炉(3’a,3’b)の下側(97)と下加熱炉(3”a,3”b)の上側(99)とを開放する適切な開口を有し、
並びに／又は、
加熱炉装置(3a,3b)の入口側及び／又は出口側の各々に設けられる遮断断熱板は、延伸架枠が進入又は退出する開放位置と、加熱炉内で処理過程を実施する閉鎖位置との間で移動し、遮断断熱板は、好ましくは該当する開口を少なくとも９１%、９２%、９３%、９４%、９５%、９６%、９７%、９８%又は９９%閉鎖する閉鎖位置に移動し、
並びに／又は、
少なくとも１つの加熱炉(3a,3b)を備え、
ａ）加熱炉(3a,3b)の上加熱炉(3’a,3’b)に対応する下加熱炉(3”a,3”b)は、受動的な空気供給部(198)を備え、又は
ｂ）加熱炉(3a,3b)の上加熱炉(3’a,3’b)に対応する下加熱炉(3”a,3”b)は、積極的な空気供給部(199)を備え、又は
ｃ）加熱炉(3a,3b)の上加熱炉(3’a,3’b)は、受動的な空気供給部(198)を備え、加熱炉(3a,3b)の対向する下加熱炉(3”a,3”b)は、積極的な空気供給部(199)を備え又はその逆に設けた、
ことを特徴とする樹脂フィルム片の単軸又は二軸延伸装置。
【請求項２】
請求項１又は請求項１の前文に記載する樹脂フィルム片の単軸又は二軸延伸装置において、
少なくとも２つの第１の案内レール(7a,7b)又は少なくとも２つの第２の案内レール(9a,9b)は、始動位置(SP)と終端位置(EP)との間で相対的に離間又は接近して移動し更に同一の方向にも移動して装填位置(BP)に移動できることを特徴とする樹脂フィルム片の単軸又は二軸延伸装置。
【請求項３】
個別の駆動伝動装置(37,38,39a,39b,40;137,138,139a,139b,140)により、少なくとも２つの案内レール(9a,9b)を相対的に接近及び離間させかつ同一の方向にも駆動できかつ移動できる請求項１又は２に記載の樹脂フィルム片の単軸又は二軸延伸装置。
【請求項４】
２つの案内レール(7a,7b)は、周回する共通の伝動装置(34)に取り付けられ、
一方の案内レール(7a)及び他方の案内レール(7b)は、好ましくは留具(28)を介してそれぞれ上方のベルト部(34b)及び下方のベルト部(34a)に連動可能に取り付けられ、
同時にのみ相対的に接近又は離間して移動する２つの案内レール(7a,7b)は、単一の駆動装置(31)により同時に駆動されかつ移動する請求項３に記載の樹脂フィルム片の単軸又は二軸延伸装置。
【請求項５】
延伸過程を開始する始動位置(SP)は、延伸架枠(5)の中央又は中心(17)の近傍に配置され、延伸過程間に相対的に離間方向に移動する案内レール(7a,7b;9a,9b)を始動位置(SP)から均一な距離離隔する延伸過程、特に二軸対称延伸過程を実施できる請求項１〜４の何れか１項に記載の樹脂フィルム片の単軸又は二軸延伸装置。
【請求項６】
装填位置(BP)から延伸過程を実施する前に、装填領域(45)又は装填領域(45)に装着する樹脂フィルム片(41)は、延伸装置の平面図上、始動位置(SP)内の樹脂フィルム片(41)の面に重複せず又は部分的にのみに重複する位置を占めかつ／又は面を覆い、部分的に重複する面は、延伸過程を実施する前の延伸すべき樹脂フィルム片(41)の面の８０%より少なく、特に７０%、６０%、５０%、４０%、３０%、２０%より少なく又は１０%より少ない請求項１〜５の何れか１項に記載の樹脂フィルム片の単軸又は二軸延伸装置。
【請求項７】
複数の把持装置(19)は、複数の案内レール(7a,7b;9a,9b)上で移動可能に支持される支持構造体(49)に保持され、
支持構造体(49)を介して保持される把持装置(19)と支持構造体(49)との間かつ／又は支持構造体(49)上に力量計(51)が設けられ、
力量計(51)は、好ましくは曲がり測定装置、曲がり測定細片、延伸測定細片又は光導波管を有する請求項１〜６の何れか１項に記載の樹脂フィルム片の単軸又は二軸延伸装置。
【請求項８】
力量計(51)は、複数の案内レール(7a,7b;9a,9b)の変位平面に対して平行かつ／又は、延伸すべき樹脂フィルム片(41)を挟持する挟持平面(E)に対し平行に配置され又は変位平面及び／又は挟持平面に対して４５°より小さい、特に４０°、３５°、３０°、２５°、２０°、１５°、１０°より小さく、又は５°より小さい角度変位する請求項７に記載の樹脂フィルム片の単軸又は二軸延伸装置。
【請求項９】
少なくとも複数の案内レール(7a,7b;9a,9b)が装填位置及び／又は取出位置(BP;EP)にあるとき、延伸架枠(5)を位置決めする装填領域及び／又は取出領域(1)と、
装填領域及び／又は取出領域(1)の他に、少なくとも１つの加熱炉装置(3a)とを備え、
加熱炉装置(3a)は、上加熱炉(3’a)と下加熱炉(3”a)とを有し、
上加熱炉(3’a)の下方と下加熱炉(3”a)の上方との間に形成される間隙(93)内を延伸架枠(5)が移動する大きさに間隙(93)が形成される請求項１〜８の何れか１項に記載の樹脂フィルム片の単軸又は二軸延伸装置。
【請求項１０】
前後に配置される複数の加熱炉(3a,3b)の第１の加熱炉(3a)内で延伸すべき樹脂フィルム片(41)が延伸され、かつ
少なくとも１つの後段の加熱炉(3b)内で、延伸した樹脂フィルム片(41)の後処理を特にアニール領域及び／又は弛緩領域形態で実施でき、
複数の案内レール(7a,7b;9a,9b)間と、対向して配置される隣合う把持装置(19)間の間隔は、アニール領域及び／又は弛緩領域内で少なくとも最大の延伸過程の最後で終端位置(EP)に達したときの間隔より再び僅かに減少される請求項１〜９の何れか１項に記載の樹脂フィルム片の単軸又は二軸延伸装置。
【請求項１１】
２つ若しくは少なくとも２つの加熱炉(3a,3b)又は３つ若しくは少なくとも３つの加熱炉(3a,3b,3c)を備え、
加熱炉(3a,3b)の上加熱炉(3’a,3’b)と下加熱炉(3”a,3”b)は、延伸架枠(5)の移動通路の上方と下方とにそれぞれ配置された請求項１〜１０の何れか１項に記載の樹脂フィルム片の単軸又は二軸延伸装置。
【請求項１２】
加熱炉(3a,3b,3c)の１つは、３００℃±５０℃未満、特に４０℃、３０℃、２０℃又は１０℃未満の温度に加熱されかつ／又は加熱炉(3a,3b,3c)の少なくとも１つの加熱炉又は他の加熱炉は、４００℃±５０℃未満、特に４０℃、３０℃、２０℃又は１０℃未満の温度に加熱されかつ／又は第３の加熱炉(3c)は、特に第２のアニール相の形成及び／又は温度低下又は温度冷却される請求項１〜１１の何れか１項に記載の樹脂フィルム片の単軸又は二軸延伸装置。
【請求項１３】
延伸過程を開始する始動位置(SP)と、延伸過程実施後の終端位置(EP)の他に、複数の第１の案内レール(7a,7b)、複数の第２の案内レール(9a,9b)及びそれらに取り付けられる複数の把持装置(19)を更に装填位置(BP)に移動する単軸又は二軸延伸装置を構成し、
延伸架枠(5)の少なくとも一方の長手側で延伸架枠側により近い延伸架枠(5)内の非対称位置に装填位置(BP)を配置できる請求項１に記載の樹脂フィルム片の単軸又は二軸延伸装置。